(57)【要約】【課題】紐部の両端を確実に輪状に繋ぎ合わせたり外したりすることができ、再使用も可能となる伸縮バンドを得る。【解決手段】本発明の伸縮バンド１は、長手方向に伸縮自在とされた紐部２と、紐部２の一端側に設けられた瘤部３と、紐部２の他端側に形成されると共に瘤部３を嵌め通すことで当該瘤部３が設けられた紐部２の一端側を紐部２の他端側に連結する受穴４と、を備え、瘤部３を受穴４に押し込むことができるように、瘤部３及び受穴４の少なくとも一方が弾性部材で形成されると共に、嵌め通した瘤部３を受穴４から抜け止め可能なように受穴４の開口径が瘤部３の外径より小さく形成されており、受穴４の側方には、受穴４を挟んで紐部２とは反対側に向かって突出する突片が形成されていることを特徴とする。【選択図】図１
2019142528.tif 000002
【特許請求の範囲】
【請求項１】
長手方向に伸縮自在とされた紐部と、紐部の一端側に設けられた瘤部と、前記紐部の他端側に形成されると共に前記瘤部を嵌め通すことで当該瘤部が設けられた紐部の一端側を紐部の他端側に連結する受穴と、を備え、
前記瘤部を受穴に押し込むことができるように、前記瘤部及び受穴の少なくとも一方が弾性部材で形成されると共に、
前記嵌め通した瘤部を受穴から抜け止め可能なように前記受穴の開口径が瘤部の外径より小さく形成されており、
前記受穴の側方には、前記受穴を挟んで前記紐部とは反対方向に突出する突片が形成されている
ことを特徴とする伸縮バンド。
【請求項２】
前記突片における受穴に近い側が前記紐部より広幅の板状に形成されている
ことを特徴とする請求項１に記載の伸縮バンド。
【請求項３】
前記紐部における受穴に近い側が長手方向の中途側より広幅の板状に形成されており、前記板状に形成された部分の他端側に前記受穴が形成されている
ことを特徴とする請求項１に記載の伸縮バンド。
【発明の詳細な説明】
【技術分野】
【０００１】
本発明は、文具、食品、機械部品などの被結束物を結束する伸縮バンドに関するものである。
【背景技術】
【０００２】
従来より、文具、食品、機械部品などの被結束物を結束する際には、伸縮自在な輪ゴムなどの結束具が用いられてきた。ただ、輪ゴムなどの結束具は、当初から無端の輪状に形成されているため、被結束物に巻き付ける場合は容易でも、巻き止めを行う際にはどこかに引っ掛けたり巻き付けたりする必要があり、使い勝手がそれほど良くない場合があった。
【０００３】
そのため、輪ゴムなどに替えて、インシュロックタイ（登録商標）、コードバンドのような結束具も開発されている。ただ、このような結束具は、比較的構造が複雑であり、また一度結束すると解いて再使用することが困難であるといった短所も備えている。
そこで、簡単な構造で、再使用も可能な結束具として、以下に示すようなものが用いられている。
【０００４】
例えば、特許文献１には、紐状の伸縮バンド主体の一端に、瘤状掛止体を設けると共に他端に前記掛止体を挿し込み係止する環状の受環を設けてなる締付バンドが開示されている。
また、特許文献２には、伸縮性を有するバンド部と、バンド部の一端に一体に設けたリング部と、バンド部の他端に一体に設けられ、前記リング部に出入りして連結可能な係留突起部とよりなり、前記バンド部を熱可塑性エラストマーで形成すると共に、前記リング部及び係留突起部を熱可塑性エラストマー又は熱可塑性樹脂で形成し、且つ、リング部及び係留突起部の硬度をバンド部の硬度以上に設定してある簡易結束バンドが開示されている。
【０００５】
上述した特許文献１の締付バンドや特許文献２の簡易結束バンドは、紐状に形成された紐部の一端に環状の受穴を備え、この受穴に紐部の他端に設けられた瘤状掛止体や係留突起部を嵌め通して、結束を行う構成となっている。
【先行技術文献】
【特許文献】
【０００６】
【特許文献１】実開昭５７−５２４５８号公報
【特許文献２】実開平３−１１６６１号公報
【発明の概要】
【発明が解決しようとする課題】
【０００７】
ところで、特許文献１や特許文献２の結束バンドはゴムやエラストマーなどの弾性材料で一体物として形成されており、紐部だけでなく、上述した瘤状掛止体や係留突起部などの瘤部、さらには瘤部を嵌め入れる受穴も弾性変形可能となっている。そのため、力を加えて上述した瘤部を受穴に押し入れようとすると、瘤部と受穴のいずれかが変形して逃げてしまい、位置がずれたり穴が潰れたりして紐部の両端の係合がスムーズに行われなくなるという問題が指摘されていた。
【０００８】
本発明は、上述の問題に鑑みてなされたものであり、低コストで製造可能なものでありながら、紐部の両端を確実に輪状に繋ぎ合わせたり外したりすることができ、再使用も可能な伸縮バンドを提供することを目的とする。
【課題を解決するための手段】
【０００９】
上記課題を解決するため、本発明の伸縮バンドは以下の技術的手段を講じている。
即ち、本発明の伸縮バンドは、長手方向に伸縮自在とされた紐部と、紐部の一端側に設けられた瘤部と、前記紐部の他端側に形成されると共に前記瘤部を嵌め通すことで当該瘤部が設けられた紐部の一端側を紐部の他端側に連結する受穴と、を備え、前記瘤部を受穴に押し込むことができるように、前記瘤部及び受穴の少なくとも一方が弾性部材で形成されると共に、前記嵌め通した瘤部を受穴から抜け止め可能なように前記受穴の開口径が瘤部の外径より小さく形成されており、前記受穴の側方には、前記受穴を挟んで前記紐部とは反対方向に突出する突片が形成されていることを特徴とする。
【００１０】
なお、好ましくは、前記突片における受穴に近い側が前記紐部より広幅の板状に形成されているとよい。
なお、好ましくは、前記紐部における受穴に近い側が長手方向の中途側より広幅の板状に形成されており、前記板状に形成された部分の他端側に前記受穴が形成されているとよい。
【発明の効果】
【００１１】
本発明の伸縮バンドによれば、低コストで製造可能なものでありながら、紐部の両端を確実に輪状に繋ぎ合わせたり外したりすることができ、再使用も可能となる。
【図面の簡単な説明】
【００１２】
【図１】第１実施形態の伸縮バンドを示した図である。
【図２】第２実施形態の伸縮バンドを示した図である。
【図３】第３実施形態の伸縮バンドを示した図である。
【図４】第４実施形態の伸縮バンドを示した図である。
【図５】伸縮バンドの結合状態及び分離状態を示した図である。
【図６】受穴に対する瘤部の押し込み動作を示した図である。
【発明を実施するための形態】
【００１３】
［第１実施形態］
以下、本発明の伸縮バンド１の第１実施形態を、図面に基づき詳しく説明する。
本発明の伸縮バンド１は、筆記用具、ノート、シャープペンシルの芯などの文房具の被結束物Ｂを束ねたり、葉物野菜の茎を結束する場合のように農作物などの食品の被結束物Ｂを結束したり、さらには漬け物などの加工食品が入ったビニール袋の口を被結束物Ｂとして結束したりする用途で用いられる。また、本発明の伸縮バンド１は、電源コードやＬＡＮケーブルなどのケーブル類の被結束物Ｂを結束したり、機械パーツ、電気パーツ、台所用品、洗濯用品、園芸用品、農業用品などの被結束物Ｂを束ねて結束したりする用途でも用いられる。この伸縮バンド１は、弾性材料を用いて長尺な紐状または棒状に形成されており、被結束物Ｂに巻き付けるなどして、被結束物Ｂに巻き付けて結束できる構成となっている。
【００１４】
具体的には、図１に示すように、第１実施形態の伸縮バンド１は、長手方向に伸縮自在とされた紐部２と、紐部２の一端側に設けられた瘤部３と、紐部２の他端側に形成されると共に瘤部３を嵌め通すことで、当該瘤部３が設けられた紐部２の一端側を、紐部２の他端側に連結する受穴４と、を備えている。
以降では、伸縮バンド１を構成する紐部２、瘤部３、受穴４などの各部材について詳しく説明する。
【００１５】
なお、以降の説明においては、図１の正面図における右側（瘤部３が設けられた側）を、伸縮バンド１を説明する際の一端側または先端側といい、図１の正面図における左側（受穴４が形成された側）を、伸縮バンド１を説明する際の他端側または基端側という。また、図１の正面図における上下方向を、伸縮バンド１を説明する際の左右方向または幅方向という。さらに、図１の平面図（断面図）における上下方向を、伸縮バンド１を説明する際の上下方向又は厚み方向という。
【００１６】
図１に示すように、紐部２は、ゴムやエラストマーなどの弾性材料を用いて長尺に形成された部分であり、長手方向に伸縮自在であると共に、中途側が上下左右に自由に折り曲げたり変形したりすることができる構成とされている。この紐部２の長さや太さは、上述した日用品を被結束物Ｂとする場合であれば、長さが５０ｍｍ〜３００ｍｍ、太さが直径１．０ｍｍ〜５．０ｍｍとされている。なお、本実施形態（図例）の伸縮バンド１は、バンドの全長が１５０ｍｍのものであり、紐部２の長さは１００ｍｍ、紐部２の太さは３ｍｍとなっている。
【００１７】
また、紐部２を構成する弾性材料には、弾性に富むゴムやエラストマーなどの合成樹脂が用いられる。この紐部２を形成する弾性材料には、好ましくはシリコンゴムやシリコン系のエラストマーを用いるのが良い。弾性材料にシリコンゴムやシリコン系のエラストマーを用いれば、一般的な熱可塑性の合成樹脂より耐熱性、耐薬品性、耐油性、耐酸性などが良好な伸縮バンド１を得ることができ、伸縮バンド１の用途（被結束物Ｂの種類）を広げることができる。
【００１８】
なお、本実施形態の伸縮バンド１は、紐部２にシリコン系のエラストマー（シリコンゴム）を用いたものであり、紐部２以外の瘤部３、受穴４、さらには後述する板状部５にも紐部２と同じ弾性材料を用いることで、伸縮バンド１自体をシリコン系のエラストマーで一体物として加工したものとなっている。このような一体物に伸縮バンド１を加工すれば、製造工程がシンプルなものとなり、製造コストを低く抑えることが可能となる。
【００１９】
瘤部３は、紐部２の一端側（先端側）に形成された部分であり、受穴４に嵌め通されることで紐部２の他端側に連結可能とされる部分である。本実施形態の場合であれば、瘤部３は、紐部２の直径よりも大きな球体を、少し潰したような形状に形成されている。より具体的には、本実施形態の瘤部３は、上述した球体を長手方向の直径の１／３程度の箇所で切断して２つに分離し、分離された内で大きい方（先端側のみ）を用いたものとされている。そして、本実施形態の瘤部３は、先端側の丸まった部分を後述する受穴４に嵌め込むようにして受穴４に連結可能とされている。
【００２０】
また、上述した瘤部３は、紐部２の直径（外径）の２倍程度の径に形成されており、紐部２と瘤部３との間に段差３ａを形成可能とされている。このように瘤部３と紐部２との間に段差３ａを形成すれば、この段差３ａが受穴４の孔縁が引っ掛かるため（後述するように受穴４の開口径はほぼ紐部２の外径と等しいため）、嵌め込まれた瘤部３が受穴４から抜け難くなる。
【００２１】
さらに、上述した紐部２における瘤部３から他端側に向かって瘤部３の直径の３倍程度の位置には、紐部２を摘む際に指を掛けやすいように指掛け部６が形成されている。具体的には、指掛け部６は、紐部２の直径の１．２〜１．５倍程度の外径と、紐部２の直径の２〜５倍程度の長さとを備えた鼓状の部分であり、長手方向の中途側は両端よりやや径小に形成されている。このような紐部２より太径な指掛け部６を設ければ、紐部２を小さい径に形成しても、紐部２を確実に掴むことが可能となり、また指掛け部６の長手方向の中途側を両端よりやや径小に形成すれば掛けられた指が滑りにくくなるため、受穴４に嵌め通された瘤部３を容易に引き抜くことが可能となる。
【００２２】
受穴４は、上述した瘤部３のような太径のものの通過は規制するが、紐部２のような小径のものであれば通過を許容する程度の開口径に穿孔された孔部である。この受穴４は、紐部２の他端側に形成されており、瘤部３を指などで押し込んで嵌め入れることで瘤部３と連結可能となっており、瘤部３と協働して用いられることで伸縮バンド１を輪状（無端状）に連結可能な構成となっている。
【００２３】
そして、上述した受穴４は、本実施形態の伸縮バンド１の場合であれば、板状部５の先端側の端部、言い換えれば瘤部３に近い側の端部に、板状部５を厚み方向に貫通するように形成されている。具体的には、上述した受穴４は、板状部５の一方側の表面に開口する口部と他方側の表面に開口する口部４ａとがいずれも外側に向かって広がるテーパ状に形成されている。このようなテーパ状の口部４ａを受穴４に形成すれば、瘤部３が受穴４に進入しやすくなり、瘤部３を受穴４に係合したり係合している瘤部３を受穴４から引き抜くことがさらに容易となる。
【００２４】
さらに、上述した受穴４は、紐部２の左右方向の中心線の軸線上に受穴４の中心が位置するような位置に穿孔されている。このような位置に受穴４を形成すれば、伸縮バンド１を捻れのない真円に近い軌道で輪状に係合させることが可能となり、被結束物Ｂをきれいに結束することが可能となる。
具体的には、紐部２の他端側には、紐部２よりも広幅な板状部５が形成されている。つまり、板状部５における受穴４よりも基端側が、受穴４を挟んで紐部２が取り付けられている側とは反対側に向かって突出する突片とされている。この板状部５は、幅方向に紐部２の直径の３倍〜１０倍の寸法を有し、長手方向に紐部２の直径の３倍〜２０倍の寸法を有する略長方形（正確には、角が丸まった長方形）の板状に形成された部分である。また、板状部５の中央は、板状部５の上面とは面一とされた外周よりも薄肉に形成されており、被結束物Ｂに関する情報を表示したシール類を添付したり、書き込んだりできるようになっている。
【００２５】
上述したような板状部５を設ければ、板状部５に被結束物Ｂに関する情報を表示する、又は書き込み可能なスペースを有するタグとして用いることが可能になる。つまり、本実施形態では、上述したような板状部５、特に板状部５の基端側（突片）が、情報を表示するための表示部とされている。
例えば、被結束物Ｂが食品である場合は、この板状部５に、賞味期限、開封日、加工日時、生産・製造者などの情報、また被結束物Ｂが機械パーツなどである場合は、材料、製造メーカ、寸法などの情報を表示したり書き込んだりすることができる。なお、この板状部５に表示可能な情報には、価格、取り扱い上の注意、宣伝、広告なども含まれる。また、板状部５自体を長方形ではなくマスコット、キャラクターなどの形状に加工して、意匠性を高めて、被結束物Ｂを購入する購入者の購買意欲を喚起させても良い。
【００２６】
上述した伸縮バンド１で被結束物Ｂを結束する際、言い換えれば、伸縮バンド１の両端を結合する際には、以下のような手順の操作を行う。
すなわち、伸縮バンド１の一端側又は他端側を動かないように固定した状態で、もう一方の端部を被結束物Ｂに巻き付ける。そうすると、弾性材料で形成された紐部２が自在に折れ曲がると共に伸長し、紐部２を被結束物Ｂの外周に巻き付けることができる。このとき、紐部２の巻き回し回数は複数回とするのが好ましく、本実施形態の場合であれば長尺の被結束物Ｂの周囲を３回巻き回している。
【００２７】
このようにして３回巻き回された紐部２は、図５の「分離状態」に示すように、瘤部３と受穴４とが少し距離をおいて対面し合う位置にくる。このように瘤部３と受穴４とが少し距離をおいて対面し合ったら、瘤部３を指で摘んで受穴４に強制的に近づける。このとき、瘤部３、紐部２、及び受穴４が弾性材料で形成されているため、それぞれの部材が弾性変形し瘤部３を受穴４に楽に近づけることができる。
【００２８】
図６に示すように、瘤部３が受穴４の開口まで近づけたら、指の腹で瘤部３を押して受穴４に押し込む。そうすると、瘤部３や受穴４が弾性変形して、瘤部３を受穴４に嵌め通して、伸縮バンド１を輪状に連結することが可能となる。なお、図６は、受穴４に対して瘤部３を上方（板状部５の表側）から押し込む例を示しているが、受穴４に対する瘤部３の押し込み方向は下方（板状部５の裏側）からであっても良い。
【００２９】
連結された伸縮バンド１を外すときは、指掛け部６を摘んで紐部２を強制的に引き抜く。そうすれば、伸縮バンド１を簡単に外すことが可能となる。
以上のことから、本実施形態の伸縮バンド１によれば、上述した突片を指などで摘んで受穴４を逃げないように押さえることができるので、瘤部３を容易に受穴４に押し入れることができ、紐部２の両端を確実に輪状に繋ぎ合わせたり外したりすることが可能となる。
［第２〜第４実施形態］
ところで、上述した第１実施形態では、板状部５の先端側に受穴４が形成された例を挙げた。しかし、図２の第２実施形態に示すように、受穴４の位置は板状部５の基端側に形成されていても良いし、複数穿孔（板状部５の先端側と基端側との２カ所に穿孔）されていても良い。言い換えれば、第２実施形態の伸縮バンド１は、紐部２の他端と、受穴４との間に、情報を表示するための表示部が設けられたものということもできる。
【００３０】
第２実施形態のように板状部５の基端側に受穴４を形成すれば、板状部５を紐部２と一緒に被結束物Ｂの外面に沿うように被結束物Ｂに巻き付けることができ、被結束物Ｂの結束力を強めることが可能となる。また、このような巻き付け方であれば、板状部５が被結束物Ｂの外側に突出することがなく、結束状態がすっきりとした見栄えの良いものとなる。
【００３１】
なお、板状部５の基端側に受穴４を穿孔していても、受穴４の基端側には板状部５が摘み代として残っているので、受穴４への瘤部３の嵌入は容易であり、第１実施形態同様に紐部２の両端を確実に輪状に繋ぎ合わせたり外したりすることは可能となる。
また、上述した第１実施形態では、板状部５を略長方形状とした例を挙げた。しかし、図３、図４の第３、第４実施形態に示すように、板状部５の形状は略円形状であっても良い。このような円形状に板状部５を形成すれば、板状部５の面積が大きくなり、キャラクターなどを表示しやすくなる。
【００３２】
以上をまとめれば、本発明の伸縮バンドは、長手方向に伸縮自在とされた紐部と、紐部の一端側に設けられた瘤部と、前記紐部の他端側に形成されると共に前記瘤部を嵌め通すことで当該瘤部が設けられた紐部の一端側を紐部の他端側に連結する受穴と、を備え、前記瘤部を受穴に押し込むことができるように、前記瘤部及び受穴の少なくとも一方が弾性部材で形成されると共に、前記嵌め通した瘤部を受穴から抜け止め可能なように前記受穴の開口径が瘤部の外径より小さく形成されており、前記受穴の側方には、前記受穴を挟んで紐部（が取り付けられている側）とは反対側に向かって突出する突片が形成されていることを特徴とするものである。
【００３３】
そして、好ましくは、前記突片における受穴に近い側が前記紐部より広幅の板状に形成されているとよい。そして、この広幅の板状に形成された突片は、情報を表示するための表示部として用いるのが良い。また、好ましくは、前記紐部における受穴に近い側が長手方向の中途側より広幅の板状に形成されており、前記板状に形成された部分の他端側に前記受穴が形成されているとよい。この場合、紐部の他端と、受穴との間を、情報を表示するための表示部として用いることができるようになる。
【００３４】
なお、今回開示された実施形態はすべての点で例示であって制限的なものではないと考えられるべきである。
【符号の説明】
【００３５】
１  伸縮バンド
２  紐部
３  瘤部
３ａ  段差
４  受穴
４ａ  口部
５  板状部
６  指掛け部
Ｂ  被結束物
【図１】
2019142528.tif 000003
【図２】
2019142528.tif 000004
【図３】
2019142528.tif 000005
【図４】
2019142528.tif 000006
【図５】
2019142528.tif 000007
【図６】
2019142528.tif 000008
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
長手方向に伸縮自在とされた紐部と、紐部の一端側に設けられた瘤部と、前記紐部の他端側に形成されると共に前記紐部より広幅の板状に形成された板状部と、前記板状部の一端側に形成された第１の受穴と、前記板状部の他端側に形成された第２の受穴と、を備え、
前記第１の受穴及び第２の受穴は、前記瘤部を嵌め通すことで当該瘤部が設けられた紐部の一端側を紐部の他端側に連結する構成とされており、
前記瘤部を押し込むことができるように、前記第１の受穴及び第２の受穴、または前記瘤部の少なくとも一方が弾性材料で形成されると共に、
前記嵌め通した瘤部を抜け止め可能なように前記第１の受穴及び第２の受穴の開口径が瘤部の外径より小さく形成されており、
前記板状部は、長手方向の中途部が変形自在となるように前記弾性材料で形成されている
ことを特徴とする伸縮バンド。
【手続補正２】
【補正対象書類名】明細書
【補正対象項目名】０００９
【補正方法】変更
【補正の内容】
【０００９】
上記課題を解決するため、本発明の伸縮バンドは以下の技術的手段を講じている。
即ち、本発明の伸縮バンドは、長手方向に伸縮自在とされた紐部と、紐部の一端側に設けられた瘤部と、前記紐部の他端側に形成されると共に前記紐部より広幅の板状に形成された板状部と、前記板状部の一端側に形成された第１の受穴と、前記板状部の他端側に形成された第２の受穴と、を備え、前記第１の受穴及び第２の受穴は、前記瘤部を嵌め通すことで当該瘤部が設けられた紐部の一端側を紐部の他端側に連結する構成とされており、前記瘤部を押し込むことができるように、前記第１の受穴及び第２の受穴、または前記瘤部の少なくとも一方が弾性材料で形成されると共に、前記嵌め通した瘤部を抜け止め可能なように前記第１の受穴及び第２の受穴の開口径が瘤部の外径より小さく形成されており、前記板状部は、長手方向の中途部が変形自在となるように前記弾性材料で形成されていることを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００２９
【補正方法】変更
【補正の内容】
【００２９】
連結された伸縮バンド１を外すときは、指掛け部６を摘んで紐部２を強制的に引き抜く。そうすれば、伸縮バンド１を簡単に外すことが可能となる。
以上のことから、本実施形態の伸縮バンド１によれば、上述した突片を指などで摘んで受穴４を逃げないように押さえることができるので、瘤部３を容易に受穴４に押し入れることができ、紐部２の両端を確実に輪状に繋ぎ合わせたり外したりすることが可能となる。
［第２〜第４実施形態］
ところで、上述した第１実施形態では、板状部５の先端側に受穴４が形成された例を挙げた。しかし、図２の第２実施形態に示すように、受穴４の位置は板状部５の基端側に形成されていても良いし、複数穿孔（板状部５の先端側に形成された第１の受穴と基端側に形成された第２の受穴との２カ所に穿孔）されていても良い。言い換えれば、第２実施形態の伸縮バンド１は、紐部２の他端と、受穴４との間に、情報を表示するための表示部が設けられたものということもできる。
【手続補正５】
【補正対象書類名】明細書
【補正対象項目名】００３２
【補正方法】変更
【補正の内容】
【００３２】
以上をまとめれば、本発明の伸縮バンドは、長手方向に伸縮自在とされた紐部と、紐部の一端側に設けられた瘤部と、前記紐部の他端側に形成されると共に前記瘤部を嵌め通すことで当該瘤部が設けられた紐部の一端側を紐部の他端側に連結する受穴と、を備え、前記瘤部を受穴に押し込むことができるように、前記瘤部及び受穴の少なくとも一方が弾性部材で形成されると共に、前記嵌め通した瘤部を受穴から抜け止め可能なように前記受穴の開口径が瘤部の外径より小さく形成されており、前記受穴の側方には、前記受穴を挟んで紐部（が取り付けられている側）とは反対側に向かって突出する突片（板状部５）が形成されていることを特徴とするものである。